(57)【要約】【課題】２枚の表示パネルを重ね合わせた表示装置において、２重像の視認を抑制しつつ動画ぼけを低減できる技術を提供する。【解決手段】本発明の表示装置は、入力画像データにおける画像の動きの有無を判断する第１判断手段と、前記第１判断手段の判断結果に基づく低減度合いで前記入力画像データの空間的な高周波成分の強度を低減する低減処理により、処理画像データを生成する処理手段と、前記処理画像データに基づいて光を出力することにより第１画像を表示する第１パネルと、前記第１パネルから出力された光を前記入力画像データに基づいて透過することにより第２画像を表示する第２パネルと、を有し、前記処理手段は、前記第１判断手段で前記動きがあると判断された場合に、前記第１判断手段で前記動きが無いと判断された場合に比べ低い低減度合いを用いる。【選択図】図２
2019124798.tif 000002
【特許請求の範囲】
【請求項１】
入力画像データにおける画像の動きの有無を判断する第１判断手段と、
前記第１判断手段の判断結果に基づく低減度合いで前記入力画像データの空間的な高周波成分の強度を低減する低減処理により、処理画像データを生成する処理手段と、
前記処理画像データに基づいて光を出力することにより第１画像を表示する第１パネルと、
前記第１パネルから出力された光を前記入力画像データに基づいて透過することにより第２画像を表示する第２パネルと、
を有し、
前記処理手段は、前記第１判断手段で前記動きがあると判断された場合に、前記第１判断手段で前記動きが無いと判断された場合に比べ低い低減度合いを用いる
ことを特徴とする表示装置。
【請求項２】
発光部をさらに有し、
前記第１パネルは、前記発光部から発せられた光を前記処理画像データに基づいて透過することにより前記第１画像を表示する
ことを特徴とする請求項１に記載の表示装置。
【請求項３】
前記第１パネルは、自発光型の表示パネルである
ことを特徴とする請求項１に記載の表示装置。
【請求項４】
前記低減処理は、前記入力画像データの各画素について、対象の画素の階調値を、当該対象の画素を含む参照領域の平均階調値に変換する処理であり、
前記処理手段は、前記第１判断手段で前記動きがあると判断された場合に、前記第１判断手段で前記動きが無いと判断された場合に比べ小さい参照領域を用いる
ことを特徴とする請求項１〜３のいずれか１項に記載の表示装置。
【請求項５】
前記低減処理は、ローパスフィルタ処理であり、
前記処理手段は、前記第１判断手段で前記動きがあると判断された場合に、前記第１判断手段で前記動きが無いと判断された場合に比べ高い周波数を、前記ローパスフィルタ処理のカットオフ周波数として用いる
ことを特徴とする請求項１〜４のいずれか１項に記載の表示装置。
【請求項６】
前記入力画像データの階調値の時間変化に対応する、前記第１パネルと前記第２パネルの少なくとも一方の応答速度を判断する第２判断手段をさらに有し、
前記処理手段は、前記第１判断手段で前記動きがあると判断され且つ前記第２判断手段で判断された前記応答速度が低い場合に、前記第１判断手段で前記動きがあると判断され且つ前記第２判断手段で判断された前記応答速度が高い場合に比べ低い低減度合いを用いる
ことを特徴とする請求項１〜５のいずれか１項に記載の表示装置。
【請求項７】
前記第１パネルと前記第２パネルの少なくとも一方は、入力される階調値の時間変化が小さい場合に、当該時間変化が大きい場合に比べ、応答速度が低い、という特性を有し、
前記処理手段は、前記第１判断手段で前記動きがあると判断され且つ前記入力画像データの階調値の時間変化が小さい場合に、前記第１判断手段で前記動きがあると判断され且つ前記入力画像データの階調値の時間変化が大きい場合に比べ低い低減度合いを用いる
ことを特徴とする請求項１〜５のいずれか１項に記載の表示装置。
【請求項８】
前記処理手段は、前記入力画像データにおける複数の画像領域のそれぞれについて個別
に低減度合いを決定する
ことを特徴とする請求項１〜７のいずれか１項に記載の表示装置。
【請求項９】
前記処理手段は、水平方向における高周波成分の強度の低減度合いとして、垂直方向における高周波成分の強度の低減度合いよりも低い低減度合いを用いる
ことを特徴とする請求項１〜８のいずれか１項に記載の表示装置。
【請求項１０】
前面側に光を発するバックライトモジュールと、
前記バックライトモジュールの前面側に設けられ、前記バックライトモジュールから照射された光を透過する第１パネルと、
前記第１パネルの前面側に設けられ、前記第１パネルを透過した光を、さらに透過して画面に画像を表示する第２パネルと、
画像データに基づく第１制御画像データを用いて前記第１パネルの光の透過率を制御し、前記画像データに基づく第２制御画像データを用いて前記第２パネルの光の透過率を制御する制御手段と、
前記画像データに対して、空間的な高周波成分の強度を低減させる所定の処理を含む画像処理を施して、前記第２制御画像データを生成する生成手段と
を備え、
前記生成手段は、前記画像データが動画像データである場合に、第１処理条件で前記所定の処理を実行し、前記画像データが静止画像データである場合に、前記第１処理条件と異なる第２処理条件で前記所定の処理を実行する
ことを特徴とする表示装置。
【請求項１１】
前記第１処理条件で前記所定の処理が施された前記画像データの空間的な高周波成分の強度は、前記第２処理条件で前記所定の処理が施された前記画像データの空間的な高周波成分の強度よりも高い
ことを特徴とする請求項１０に記載の表示装置。
【請求項１２】
前記所定の処理は、前記画像データの各画素について、対象の画素の階調値を、当該対象の画素を含む参照領域の平均階調値に変換する処理であり、
前記第１処理条件における前記参照領域の大きさは、前記第２処理条件における前記参照領域の大きさよりも小さい
ことを特徴とする請求項１０または請求項１１に記載の表示装置。
【請求項１３】
前記所定の処理は、ローパスフィルタ処理であり、
前記第１処理条件における前記ローパスフィルタ処理のカットオフ周波数は、前記第２処理条件における前記ローパスフィルタ処理のカットオフ周波数よりも高い
ことを特徴とする請求項１０または請求項１１に記載の表示装置。
【請求項１４】
前記生成手段は、前記画像データが動画像データである場合に、前記所定の処理を実行せず、前記画像データが静止画像データである場合に、前記所定の処理を実行する
ことを特徴とする請求項１０に記載の表示装置。
【請求項１５】
前記第１制御画像データは、前記所定の処理を含まない画像処理が施された前記画像データである
ことを特徴とする請求項１０乃至請求項１３のいずれか１項に記載の表示装置。
【請求項１６】
入力画像データから生成された処理画像データに基づいて光を出力することにより第１画像を表示する第１パネルと、
前記第１パネルから出力された光を前記入力画像データに基づいて透過することにより
第２画像を表示する第２パネルと、
を有する表示装置の制御方法であって、
前記入力画像データにおける画像の動きの有無を判断する判断ステップと、
前記判断ステップの判断結果に基づく低減度合いで前記入力画像データの空間的な高周波成分の強度を低減する低減処理により、前記処理画像データを生成する処理ステップと、
を有し、
前記処理ステップでは、前記判断ステップで前記動きがあると判断された場合に、前記判断ステップで前記動きが無いと判断された場合に比べ低い低減度合いを用いる
ことを特徴とする制御方法。
【請求項１７】
前面側に光を発するバックライトモジュールと、
前記バックライトモジュールの前面側に設けられ、前記バックライトモジュールから照射された光を透過する第１パネルと、
前記第１パネルの前面側に設けられ、前記第１パネルを透過した光を、さらに透過して画面に画像を表示する第２パネルと、
を有する表示装置の制御方法であって、
画像データに基づく第１制御画像データを用いて前記第１パネルの光の透過率を制御し、前記画像データに基づく第２制御画像データを用いて前記第２パネルの光の透過率を制御する制御ステップと、
前記画像データに対して、空間的な高周波成分の強度を低減させる所定の処理を含む画像処理を施して、前記第２制御画像データを生成する生成ステップと
を備え、
前記生成ステップでは、前記画像データが動画像データである場合に、第１処理条件で前記所定の処理を実行し、前記画像データが静止画像データである場合に、前記第１処理条件と異なる第２処理条件で前記所定の処理を実行する
ことを特徴とする制御方法。
【請求項１８】
請求項１６または請求項１７に記載の制御方法の各ステップをコンピュータに実行させるためのプログラム。
【請求項１９】
請求項１６または請求項１７に記載の制御方法の各ステップをコンピュータに実行させるためのプログラムを格納した、コンピュータが読み取り可能な記憶媒体。
【発明の詳細な説明】
【技術分野】
【０００１】
本発明は、表示装置、表示装置の制御方法、プログラム、及び、記憶媒体に関する。
【背景技術】
【０００２】
液晶表示装置の高コントラスト表示を実現する構造として二重液晶構造がある。二重液晶構造では、バックライトユニットから発せられた光を透過する液晶パネルとして、重ね合わせた２枚の液晶パネル用いることで、１枚の液晶パネルを用いる構造よりも大幅に高いコントラスト表示を実現できる。
【０００３】
二重液晶構造では、液晶パネル同士の接触による傷（液晶パネルの傷）を防止するために、液晶パネル間に空間が設けられることが多い。また、各液晶パネルは２枚のガラス板で液晶層を挟んだ構造を有するため、液晶パネル間に空間が設けられていなくても、２枚の液晶パネルにそれぞれ対応する２枚の液晶層の間に空間が生じる。これらの空間により、液晶表示装置を斜め方向から見た場合に、２枚の液晶パネルで同じ位置に表示されている２つの画像が異なる位置に２重像として見え、画像の視認性が低下することがある。この現象は、画像の高周波成分の強度が高い場合に顕著に現れる。「高周波成分の強度が高い画像」は、「階調段差が急峻な画像」とも言え、例えばテキスト（文字や数字）である。
【０００４】
また、自発光パネル（有機ＥＬパネルなど）の出力光が液晶パネルを透過して視認されるように液晶パネルに自発光パネルが重ねられた表示装置も提案されている。この表示装置でも、高コントラスト表示を実現できるが、２重像が視認されることがある。
【０００５】
２重像の視認を抑制するための従来技術は、例えば、特許文献１に開示されている。ここで、上記２枚の液晶パネルのうち、バックライトユニットにより近い液晶パネルを「バックパネル」と記載し、他方の液晶パネルを「フロントパネル」と記載する。特許文献１に開示の技術では、フロントパネルの状態が透過状態である透過領域を含み且つ透過領域よりもひと回り大きい領域において、バックパネルの状態が透過状態に制御される。
【先行技術文献】
【特許文献】
【０００６】
【特許文献１】特開２０１０−１４９８９号公報
【発明の概要】
【発明が解決しようとする課題】
【０００７】
しかしながら、特許文献１に開示の技術では、表示装置が動画を表示する場合に、尾引きのような動画ぼけが表示されてしまう。
【０００８】
本発明は、２枚の表示パネルを重ね合わせた表示装置において、２重像の視認を抑制しつつ動画ぼけを低減できる技術を提供することを目的とする。
【課題を解決するための手段】
【０００９】
本発明の第１の態様は、
入力画像データにおける画像の動きの有無を判断する第１判断手段と、
前記第１判断手段の判断結果に基づく低減度合いで前記入力画像データの空間的な高周波成分の強度を低減する低減処理により、処理画像データを生成する処理手段と、
前記処理画像データに基づいて光を出力することにより第１画像を表示する第１パネル
と、
前記第１パネルから出力された光を前記入力画像データに基づいて透過することにより第２画像を表示する第２パネルと、
を有し、
前記処理手段は、前記第１判断手段で前記動きがあると判断された場合に、前記第１判断手段で前記動きが無いと判断された場合に比べ低い低減度合いを用いる
ことを特徴とする表示装置である。
【００１０】
本発明の第２の態様は、
前面側に光を発するバックライトモジュールと、
前記バックライトモジュールの前面側に設けられ、前記バックライトモジュールから照射された光を透過する第１パネルと、
前記第１パネルの前面側に設けられ、前記第１パネルを透過した光を、さらに透過して画面に画像を表示する第２パネルと、
画像データに基づく第１制御画像データを用いて前記第１パネルの光の透過率を制御し、前記画像データに基づく第２制御画像データを用いて前記第２パネルの光の透過率を制御する制御手段と、
前記画像データに対して、空間的な高周波成分の強度を低減させる所定の処理を含む画像処理を施して、前記第２制御画像データを生成する生成手段と
を備え、
前記生成手段は、前記画像データが動画像データである場合に、第１処理条件で前記所定の処理を実行し、前記画像データが静止画像データである場合に、前記第１処理条件と異なる第２処理条件で前記所定の処理を実行する
ことを特徴とする表示装置である。
【００１１】
本発明の第３の態様は、
入力画像データから生成された処理画像データに基づいて光を出力することにより第１画像を表示する第１パネルと、
前記第１パネルから出力された光を前記入力画像データに基づいて透過することにより第２画像を表示する第２パネルと、
を有する表示装置の制御方法であって、
前記入力画像データにおける画像の動きの有無を判断する判断ステップと、
前記判断ステップの判断結果に基づく低減度合いで前記入力画像データの空間的な高周波成分の強度を低減する低減処理により、前記処理画像データを生成する処理ステップと、
を有し、
前記処理ステップでは、前記判断ステップで前記動きがあると判断された場合に、前記判断ステップで前記動きが無いと判断された場合に比べ低い低減度合いを用いる
ことを特徴とする制御方法である。
【００１２】
本発明の第４の態様は、
前面側に光を発するバックライトモジュールと、
前記バックライトモジュールの前面側に設けられ、前記バックライトモジュールから照射された光を透過する第１パネルと、
前記第１パネルの前面側に設けられ、前記第１パネルを透過した光を、さらに透過して画面に画像を表示する第２パネルと、
を有する表示装置の制御方法であって、
画像データに基づく第１制御画像データを用いて前記第１パネルの光の透過率を制御し、前記画像データに基づく第２制御画像データを用いて前記第２パネルの光の透過率を制御する制御ステップと、
前記画像データに対して、空間的な高周波成分の強度を低減させる所定の処理を含む画像処理を施して、前記第２制御画像データを生成する生成ステップと
を備え、
前記生成ステップでは、前記画像データが動画像データである場合に、第１処理条件で前記所定の処理を実行し、前記画像データが静止画像データである場合に、前記第１処理条件と異なる第２処理条件で前記所定の処理を実行する
ことを特徴とする制御方法。
【００１３】
本発明の第５の態様は、上述した制御方法の各ステップをコンピュータに実行させるためのプログラムである。本発明の第６の態様は、上述した制御方法の各ステップをコンピュータに実行させるためのプログラムを格納した、コンピュータが読み取り可能な記憶媒体である。
【発明の効果】
【００１４】
本発明によれば、２枚の表示パネルを重ね合わせた表示装置において、２重像の視認を抑制しつつ動画ぼけを低減できる。
【図面の簡単な説明】
【００１５】
【図１】実施例１に係る表示装置の構造の一例を示す概略図である。
【図２】実施例１に係る表示装置の機能構成の一例を示す概略図である。
【図３】実施例１に係る表示装置の動作の一例を示す模式図である。
【図４】実施例１に係る高周波成分低減度の一例を示す模式図である。
【図５】実施例２に係る表示装置の機能構成の一例を示す概略図である。
【図６】実施例２に係る表示装置の動作の一例を示す模式図である。
【図７】実施例２に係る表示装置の動作の一例を示す模式図である。
【図８】実施例２に係る高周波成分低減度の一例を示す模式図である。
【発明を実施するための形態】
【００１６】
＜実施例１＞
以下、本発明の実施例１について説明する。
【００１７】
＜表示装置の構造＞
図１は、本実施例に係る表示装置１００の構造の一例を示す概略図である。表示装置１００は、フロントパネル１１２、バックパネル１１１、及び、バックライトユニット（バックライトモジュール）１０１を有する。以後、バックライトユニット１０１から表示面（ユーザが見る面）に向かう方向を前方向として説明を行う。バックパネル１１１はバックライトユニット１０１に対して前側（前面側）に設けられた液晶パネルであり、フロントパネル１１２はバックパネル１１１に対して前側に設けられた液晶パネルである。バックライトユニット１０１から発せられた光が、バックパネル１１１とフロントパネル１１２をその順番で透過することで、表示面に画像が表示される。図１では、モアレを防止するために、フロントパネル１１２とバックパネル１１１の間に、拡散シートなどの光学シート１０２が設けられている。また、表示装置１００は、不図示の部材として、外装ベゼル、電源、電子基板、操作キー、等を有する。
【００１８】
なお、フロントパネル１１２のバックパネル１１１のそれぞれは、透過型の表示パネルであればよく、液晶パネルでなくてもよい。例えば、フロントパネル１１２のバックパネル１１１の少なくとも一方は、ＭＥＭＳ（Ｍｉｃｒｏ  Ｅｌｅｃｔｒｏ  Ｍｅｃｈａｎｉｃａｌ  Ｓｙｓｔｅｍ）シャッター方式の表示パネルであってもよい。光学シート１０２は設けられなくてもよい。モアレ防止などのために、フロントパネル１１２とバックパネル１１１の間に所定の空間が設けられてもよい。
【００１９】
＜表示装置の機能構成＞
図２は、表示装置１００の機能構成の一例を示す概略図である。表示装置１００は、入力部２０１、画質調整部２０２、輝度データ生成部２０３ａ，２０３ｂ、１フレーム遅延部２０４、動き判断部２０５、画像処理部２０６、フロントパネル１１２、バックパネル１１１、及び、バックライトユニット１０１を有する。入力部２０１、画質調整部２０２、輝度データ生成部２０３ａ，２０３ｂ、１フレーム遅延部２０４、動き判断部２０５、及び、画像処理部２０６は、電子回路として、電子基板に実装される。
【００２０】
入力部２０１は、入力画像データ２１０を取得する。入力画像データ２１０は、例えば、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）方式の画像データである。入力部２０１は、必要に応じて、入力画像データ２１０のデータフォーマットを、表示装置１００の内部で処理可能なデータフォーマットへ変換する。入力画像データ２１０の代わりに、他の画像データ（表示装置１００が記憶している画像データなど）が取得されて使用されてもよい。
【００２１】
画質調整部２０２は、入力画像データ２１０に対して所定の画質調整処理を施すことにより、調整画像データを生成する。所定の画質調整処理は、スケーリング（拡大や縮小）、インタレース・プログレッシブ変換、明るさ調整、コントラスト調整、色の濃さ調整、色相調整、等である。また、画質調整部２０２は、入力画像データ２１０が色差データを含む画像データ（ＹＣｂＣｒデータなど）である場合に、入力画像データ２１０をＲＧＢデータへ変換する。それにより、調整画像データとしてＲＧＢデータが得られる。なお、表示装置１００は画質調整部２０２を有していなくてもよい。
【００２２】
１フレーム遅延部２０４は、メモリなどで構成され、調整画像データを１フレーム時間分遅延させる。例えば、Ｎ番目（Ｎは２以上の整数）のフレームが１フレーム遅延部２０４に入力されると、Ｎ−１番目のフレームが１フレーム遅延部２０４から出力される。
【００２３】
輝度データ生成部２０３ａは、１フレーム遅延部２０４による遅延前の調整画像データ（ＲＧＢデータ）から輝度データを生成する。輝度データ生成部２０３ｂは、１フレーム遅延部２０４による遅延後の調整画像データ（ＲＧＢデータ）から輝度データを生成する。輝度データ生成部２０３ｂでは、輝度データ生成部２０３ａによって生成された輝度データを１フレーム時間分遅延させた輝度データが生成される。
【００２４】
動き判断部２０５は、輝度データ生成部２０３ａによって生成された輝度データと、輝度データ生成部２０３ｂによって生成された輝度データとを互いに比較し、入力画像データ２１０における画像の動きの有無を判断する。例えば、動き判断部２０５は、入力画像データ２１０が動画像データであるか静止画像データであるかを判断する。
【００２５】
画像処理部２０６は、動き判断部２０５の判断結果に基づく低減度合いで入力画像データ２１０（具体的には、１フレーム遅延部２０４による遅延後の調整画像データ）の空間的な高周波成分の強度を低減する低減処理により、処理画像データを生成する。高周波成分は、所定の空間周波数以上の範囲とも言える。低減処理では、全空間周波数の強度が低減されてもよいし、空間的な高周波成分に対応する複数の空間周波数の一部または全部の強度のみが低減されてもよい。
【００２６】
本実施例では、画質調整部２０２が所定の画質調整処理を行い、画像処理部２０６が空間的な高周波成分の強度を低減させる所定の低減処理を行う。入力画像データ２１０に対して、所定の低減処理を含まない画像処理（所定の画質調整処理）を施すことにより、調整画像データ（第１制御画像データ）が生成される。そして、入力画像データ２１０に対
して、所定の低減処理を含む画像処理（所定の画質調整処理と所定の低減処理）を施すことにより、処理画像データ（第２制御画像データ）が生成される。
【００２７】
バックライトユニット１０１は、前面側に光を発する発光部である。
【００２８】
バックパネル１１１は、処理画像データに基づいて光を出力することにより画像（バック画像）を表示する。本実施例では、バックパネル１１１は、バックライトユニット１０１から発せられた（照射された）光を処理画像データに基づいて透過することによりバック画像を表示する。具体的には、バックパネル１１１は、バックパネル１１１の光の透過率を制御する制御回路を有する。バックパネル１１１の制御回路は、処理画像データを用いてバックパネル１１１の光の透過率を制御する。そして、バックライトユニット１０１から発せられた光がバックパネル１１１を透過することで、バック画像が表示される。
【００２９】
フロントパネル１１２は、バックパネル１１１から出力された光を入力画像データ２１０（具体的には、１フレーム遅延部２０４による遅延後の調整画像データ）に基づいて透過することにより画像を表示する。本実施例では、フロントパネル１１２は、バックパネル１１１を透過した光を、さらに透過して表示面（画面）に画像を表示する。具体的には、フロントパネル１１２は、フロントパネル１１２の光の透過率を制御する制御回路を有する。フロントパネル１１２の制御回路は、１フレーム遅延部２０４による遅延後の調整画像データに基づく画像（フロント画像）が描画されるように、当該調整画像データを用いてフロントパネル１１２の光の透過率を制御する。そして、バックパネル１１１を透過した光がフロントパネル１１２をさらに透過することで、バック画像とフロント画像を合成した合成画像が表示される。合成画像は、表示面に表示される画像と同等である。なお、フロントパネル１１２の制御回路は、バックパネル１１１の制御回路と一体化されていてもよい。
【００３０】
動き判断部２０５の処理の具体例について説明する。輝度データ生成部２０３ａでＮ番目のフレームの輝度データが得られる場合に、輝度データ生成部２０３ｂではＮ−１番目のフレームの輝度データが得られる。この場合に、動き判断部２０５は、Ｎ番目のフレームの輝度データから当該フレームの平均輝度を算出し、Ｎ−１番目のフレームの輝度データから当該フレームの平均輝度を算出する。平均輝度は、例えば、下限が０％であり且つ上限が１００％である相対輝度の平均である。そして、動き判断部２０５は、上記２つの平均輝度の差が所定の閾値（例えば相対輝度２５％）よりも大きい場合に「動きあり」と判断し、当該差が所定の閾値以下である場合に「動き無し」と判断する。なお、画質調整部２０２が、インタレース・プログレッシブ変換のために画像の動きを判断する場合には、動き判断部２０５での判断結果の代わりに、画質調整部２０２での判断結果が使用されてもよい。
【００３１】
画像処理部２０６の処理の具体例について説明する。２枚の表示パネルを重ね合わせた表示装置では、表示装置を斜め方向から見た場合に、２枚の表示パネルで同じ位置に表示されている２つの画像が異なる位置に２重像として見えることがある。画像処理部２０６は、入力画像データ２１０（具体的には、１フレーム遅延部２０４による遅延後の調整画像データ）の空間的な高周波成分の強度を低減することで、上述したような２重像の視認を抑制する。
【００３２】
例えば、画像処理部２０６は、入力画像データ２１０の各画素について、対象の画素の階調値を当該対象の画素を含む参照領域の平均階調値に変換する。ここで、座標（水平位置，垂直位置）＝（Ａ，Ｂ）の画素について、１フレーム遅延部２０４による遅延後の調整画像データのＲ値Ｒｉｎを「Ｒ値Ｒｉｎ（Ａ，Ｂ）」と記載し、処理画像データのＲ値Ｒｏｕｔを「Ｒ値Ｒｏｕｔ（Ａ，Ｂ）」と記載する。画像処理部２０６は、例えば、以下
の式１を用いてＲ値Ｒｉｎ（Ｘ，Ｙ）をＲ値Ｒｏｕｔ（Ｘ，Ｙ）に変換する。式１の「ｎ」は１以上の整数であり、「ｎ」が大きいほど、参照領域が大きく、空間的な高周波成分の強度の低減度合いが大きく、２重像視認の抑制度合いが大きい。式１によれば、対象の画素を中心として水平方向に連続する２ｎ＋１個の画素からなる領域が参照領域として用いられ、水平方向の高周波成分の強度が低減され、水平方向における２重像の視認が抑制される。画像処理部２０６は、処理画像データのＧ値とＢ値も同様に算出する。以後、このような処理を「加算平均処理」と記載する。
Ｒｏｕｔ（Ｘ，Ｙ）＝（Ｒｉｎ（Ｘ−ｎ，Ｙ）
＋Ｒｉｎ（Ｘ−ｎ＋１，Ｙ）＋・・・
＋Ｒｉｎ（Ｘ，Ｙ）＋・・・
＋Ｒｉｎ（Ｘ＋ｎ−１，Ｙ）
＋Ｒｉｎ（Ｘ＋ｎ，Ｙ））／（２ｎ＋１）  ・・・（式１）
【００３３】
なお、空間的な高周波成分の強度を低減する低減処理は、加算平均処理に限られない。例えば、画像処理部２０６は、低減処理としてローパスフィルタ処理を行ってもよい。ローパスフィルタ処理のカットオフ周波数が空間的な高周波成分に対応する最小の空間周波数以上である場合には、カットオフ周波数が低いほど、空間的な高周波成分の強度（平均強度など）の低減度合いが大きく、２重像視認の抑制度合いが大きい。
【００３４】
＜表示装置の動作＞
図３は、表示装置１００の動作の一例を示す模式図である。図３には、入力画像３１１、動き判断結果３１２、高周波成分低減度３１３、フロント画像３１４、バック画像３１５、及び、合成画像３１６の時間変化が示されている。入力画像３１１は、入力画像データ２１０によって表された画像である。動き判断結果３１２は、動き判断部２０５の判断結果である。そして、高周波成分低減度３１３は、画像処理部２０６により行われる低減処理の低減度合い（空間的な高周波成分の強度の低減度合い）である。高周波成分低減度３１３は「２重像視認の抑制度合い」とも言える。ここでは、簡単のために、画質調整部２０２による所定の画質調整処理が省略され、調整画像データとして入力画像データ２１０が使用されるとする。
【００３５】
図３の例では、入力画像３１１は、黒色の背景上に白色の矩形が配置された画像である。フレーム３０１〜３０３の期間において矩形は入力画像３１１の中央で静止し、フレーム３０４〜３０７の期間において矩形は入力画像３１１の中央から右に向かって移動する。
【００３６】
動き判断部２０５は、各フレームについて、対象のフレームの平均輝度（入力画像３１１の平均輝度）と、対象のフレームの１つ前のフレームの平均輝度との差（平均輝度差）を算出する。そして、動き判断部２０５は、各フレームについて、平均輝度差が所定の閾値よりも大きい場合に「動きあり」と判断し、平均輝度差が所定の閾値以下である場合に「動き無し」と判断する。
【００３７】
例えば、動き判断部２０５は、フレーム３０２とフレーム３０１の間の平均輝度差に応じて、フレーム３０２に対する動き判断結果３１２（動きの有無）を得る。他のフレームに対する動き判断結果３１２も同様に得られる。図３の例では、フレーム３０２の平均輝度はフレーム３０１の平均輝度と同一であるため、フレーム３０２に対する動き判断結果３１２として「動き無し」が得られる。同様に、フレーム３０３に対する動き判断結果３１２として「動き無し」が得られる。一方で、フレーム３０４の平均輝度はフレーム３０３の平均輝度と異なり、フレーム３０４とフレーム３０３の間の平均輝度差は所定の閾値
よりも大きいため、フレーム３０４に対する動き判断結果３１２として「動きあり」が得られる。同様に、フレーム３０５〜３０７のそれぞれについても、「動きあり」という動き判断結果３１２が得られる。
【００３８】
フロント画像３１４は、入力画像３１１（入力画像データ２１０）に基づいてフロントパネル１１２に描画された画像である。フロント画像３１４は「表示面全体でバックパネル１１１の透過率が１００％である場合に表示面に表示される画像」とも言える。入力画像３１１は、１フレーム遅延部２０４によって１フレーム時間分遅延させられる。そのため、各フレームのフロント画像３１４は、１つ前のフレームの入力画像３１１に対応する。図３の例では、各フレームのフロント画像３１４は、１つ前のフレームの入力画像３１１である。そのため、フレーム３０２のフロント画像３１４はフレーム３０１の入力画像３１１であり、フレーム３０３のフロント画像３１４はフレーム３０２の入力画像３１１である。他のフレームのフロント画像３１４も、同様に、１つ前のフレームの入力画像３１１である。
【００３９】
バック画像３１５は、画像処理部２０６によって生成された処理画像（処理画像データ）に基づいてバックパネル１１１に描画された画像である。バック画像３１５は「表示面全体でフロントパネル１１２の透過率が１００％である場合に表示面に表示される画像」とも言える。上述したように、入力画像３１１は、１フレーム遅延部２０４によって１フレーム時間分遅延させられる。そのため、各フレームのバック画像３１５は、１つ前のフレームの入力画像３１１に対応する。また、処理画像は、入力画像３１１の空間的な高周波成分の強度を低減する低減処理により生成される。そのため、バック画像３１５における矩形の幅は、入力画像３１１における矩形の幅よりも広い。
【００４０】
図４は、動き判断結果３１２と高周波成分低減度３１３の対応関係の一例を示す模式図である。本実施例では、画像処理部２０６は、入力画像データ２１０が動画像データである場合に、第１処理条件で所定の低減処理を実行し、入力画像データ２１０が静止画像データである場合に、第１処理条件とは異なる第２処理条件で所定の低減処理を実行する。具体的には、図４に示すように、画像処理部２０６は、動き判断結果３１２が「動きあり」である場合に、動き判断結果３１２が「動き無し」である場合に比べ低い高周波成分低減度３１３を用いる。空間的な高周波成分の強度を低減する低減処理が加算平均処理である場合には、画像処理部２０６は、参照領域のサイズを変更することにより、高周波成分低減度３１３を変更する。例えば、画像処理部２０６は、動き判断結果３１２が「動きあり」である場合に、動き判断結果３１２が「動き無し」である場合に比べ小さい参照領域を用いる。具体的には、図４に示すように、画像処理部２０６は、動き判断結果３１２が「動きあり」である場合に、動き判断結果３１２が「動き無し」である場合に比べ小さい値を、式１の「ｎ」として用いる。空間的な高周波成分の強度を低減する低減処理がローパスフィルタ処理である場合には、画像処理部２０６は、ローパスフィルタ処理のカットオフ周波数を変更することにより、高周波成分低減度３１３を変更する。具体的には、図４に示すように、画像処理部２０６は、動き判断結果３１２が「動きあり」である場合に、動き判断結果３１２が「動き無し」である場合に比べ高い周波数を、カットオフ周波数として用いる。このように、本実施例では、第１処理条件と第２処理条件の違いは、高周波成分低減度３１３の違い、参照領域の大きさ（サイズ）の違い、カットオフ周波数の違い、等を含む。そして、第１処理条件で所定の低減処理が施された処理画像データの空間的な高周波成分の強度は、第２処理条件で所定の低減処理が施された処理画像データの空間的な高周波成分の強度よりも高くなる。なお、画像処理部２０６は、「動きあり」と判断された場合に所定の低減処理を実行せずに、「動き無し」と判断された場合に所定の低減処理を実行してもよい。
【００４１】
図３の例では、フレーム３０２，３０３の期間において動き判断結果３１２が「動き無
し」であり、フレーム３０４〜３０７の期間において動き判断結果３１２が「動きあり」である。そのため、フレーム３０４〜３０７の期間における高周波成分低減度３１３は、フレーム３０２，３０３の期間における高周波成分低減度３１３よりも低い。その結果、フレーム３０４〜３０７のバック画像３１５における矩形の幅は、フレーム３０２，３０３のバック画像３１５における矩形の幅よりも狭い。
【００４２】
合成画像３１６は、フロント画像３１４とバック画像３１５を合成した画像であり、表示面に表示される画像である。上述したように、入力画像３１１は、１フレーム遅延部２０４によって１フレーム時間分遅延させられる。そのため、各フレームの合成画像３１６は、１つ前のフレームの入力画像３１１に対応する。上述したようにフレーム３０２，３０３の期間における高周波成分低減度３１３が高いため、フレーム３０２，３０３の期間において、２重像の視認が十分に抑制された合成画像３１６が表示される。そして、上述したようにフレーム３０４〜３０７の期間における高周波成分低減度３１３が低いため、フレーム３０４〜３０７の期間において、２重像の視認が抑制され且つ動画ぼけが低減された合成画像３１６が表示される。
【００４３】
＜まとめ＞
以上述べたように、本実施例によれば、「動きあり」と判断された場合に、「動き無し」と判断された場合に比べ低い低減度合いが、空間的な高周波成分の強度の低減度合いとして用いられる。それにより、２枚の表示パネルを重ね合わせた表示装置において、２重像の視認を抑制しつつ動画ぼけを低減できる。
【００４４】
＜実施例２＞
以下、本発明の実施例２について説明する。入力される階調値の時間変化に依存して応答速度が変わる表示パネルがある。表示パネルの応答速度が変われば、表示パネルの応答時間も変わる。表示パネルの応答速度は、変化後の階調値に対応する状態へ表示パネルの状態が変化する速度であり、表示パネルの応答時間は、変化後の階調値に対応する状態へ表示パネルの状態が変化するのに要する時間である。そのため、表示パネルの応答速度が低いほど表示パネルの応答時間が長く、表示パネルの応答速度が高いほど表示パネルの応答時間が短い。そして、空間的な高周波成分の強度の低減によってだけでなく、表示パネルの応答速度が低い（表示パネルの応答時間が長い）ことによっても、動画ぼけが生じる。
【００４５】
本実施例では、フロントパネルとバックパネルの少なくとも一方が、入力される階調値の時間変化に依存して応答速度が変わる、という特性を有する場合において、動画ぼけをより低減できる例を説明する。本実施例では、上記特性において、表示パネルに入力される階調値の時間変化が大きい場合（例えば、黒色から白色への時間変化の場合）に、表示パネルの応答速度が高く、表示パネルの応答時間が短いとする。そして、上記特性において、表示パネルに入力される階調値の時間変化が小さい場合（例えば、暗い灰色から明るい灰色への時間変化の場合）に、表示パネルの応答速度が低く、表示パネルの応答時間が長いとする。なお、以下では、実施例１と異なる点（構成や処理）について詳しく説明し、実施例１と同じ点についての説明は省略する。
【００４６】
＜表示装置の構造＞
本実施例に係る表示装置の構造は、実施例１（図１）と同様である。
【００４７】
＜表示装置の機能構成＞
図５は、本実施例に係る表示装置２００の機能構成の一例を示す概略図である。図５において、実施例１（図２）と同じ機能部には、実施例１と同じ符号が付されている。表示装置２００は、階調変化判断部６０１をさらに有し、実施例１の動き判断部２０５と画像
処理部２０６の代わりに、動き判断部６０２と画像処理部６０３を有する。本実施例では、入力画像データ２１０における複数の画像領域として、複数の処理領域が予め定められている。本実施例では、複数の処理領域として、入力画像データ２１０の全体の画像領域を構成する複数の分割領域が予め定められているとする。具体的には、水平方向４個×垂直方向３個の計１２個の分割領域が予め定められているとする。
【００４８】
階調変化判断部６０１は、輝度データ生成部２０３ａ，２０３ｂによって生成された２つの輝度データを互いに比較し、入力画像データ２１０の階調値の時間変化に対応する、フロントパネル１１２とバックパネル１１１の少なくとも一方の応答速度を判断する。本実施例では、階調変化判断部６０１は、複数の分割領域（複数の処理領域）のそれぞれについて個別に応答速度を判断する。
【００４９】
ここで、輝度データ生成部２０３ａでＮ番目のフレームの輝度データ（Ｎ輝度データ）が得られ、且つ、輝度データ生成部２０３ｂではＮ−１番目のフレームの輝度データ（Ｎ−１輝度データ）が得られる場合を考える。この場合に、階調変化判断部６０１は、複数の分割領域のそれぞれについて、対象の分割領域におけるＮ輝度データの平均輝度と、対象の分割領域におけるＮ−１輝度データの平均輝度とを算出する。そして、階調変化判断部６０１は、複数の分割領域のそれぞれについて、対象の分割領域に対して算出された２つの平均輝度の差（平均輝度差）に応じて、入力画像データ２１０の階調値の時間変化の大きさ、応答速度、等を判断する。具体的には、階調変化判断部６０１は、平均輝度差が所定の第１閾値（例えば相対輝度５０％）よりも大きい場合に「階調変化：大」と判断し、平均輝度差が所定の第１閾値以下である場合に「階調変化：小」と判断する。「階調変化：大」は、入力画像データ２１０の階調値の時間変化が大きいこと、応答速度が高いこと、等に対応する。「階調変化：小」は、入力画像データ２１０の階調値の時間変化が小さいこと、応答速度が低いこと、等に対応する。
【００５０】
動き判断部６０２は、実施例１の動き判断部２０５と同様に、入力画像データ２１０における画像の動きの有無を判断する。但し、動き判断部６０２は、複数の分割領域（複数の処理領域）のそれぞれについて個別に動きの有無を判断する。本実施例では、動き判断部６０２は、階調変化判断部６０１と同様に、複数の分割領域のそれぞれについて平均輝度差を算出する。そして、動き判断部６０２は、複数の分割領域のそれぞれについて、対象の分割領域に対して算出された平均輝度差に応じて、動きの有無を判断する。具体的には、動き判断部６０２は、平均輝度差が所定の第２閾値（例えば相対輝度２５％）よりも大きい場合に「動きあり」と判断し、平均輝度差が所定の第２閾値以下である場合に「動き無し」と判断する。
【００５１】
画像処理部６０３は、実施例１の画像処理部２０６と同様に、入力画像データ２１０の空間的な高周波成分の強度を低減する低減処理により、処理画像データを生成する。但し、画像処理部６０３は、複数の分割領域（複数の処理領域）のそれぞれについて空間的な高周波成分の強度の低減度合いを個別に決定する。具体的には、画像処理部６０３は、複数の分割領域のそれぞれについて、対象の分割領域に対する階調変化判断部６０１の判断結果と、対象の分割領域に対する動き判断部６０２の判断結果とに基づいて、低減度合いを決定する。
【００５２】
＜表示装置の第１の動作＞
図６は、表示装置２００の動作の一例を示す模式図である。図６には、入力画像７１１、動き判断結果７１２、階調変化判断結果７１３、高周波成分低減度７１４、フロント画像データ７１５、フロント画像７１６、バック画像データ７１７、バック画像７１８、及び、合成画像７１９の時間変化が示されている。階調変化判断結果７１３は、階調変化判断部６０１の判断結果であり、フロント画像データ７１５は、フロントパネル１１２に入
力される画像データであり、バック画像データ７１７は、バックパネル１１１に入力される画像データである。ここでは、フロントパネル１１２とバックパネル１１１のそれぞれが、入力される階調値の時間変化に依存して応答速度が変わる、という特性を有するとする。そのため、フロント画像データ７１５とフロント画像７１６を区別し、バック画像データ７１７とバック画像７１８を区別する。また、ここでは、簡単のために、画質調整部２０２による所定の画質調整処理が省略され、調整画像データとして入力画像データ２１０が使用されるとする。
【００５３】
図６の例では、入力画像７１１は、黒色の背景上に白色の矩形が配置された画像である。フレーム７０１〜７０３の期間において矩形は入力画像７１１の中央で静止し、フレーム７０４〜７０７の期間において矩形は入力画像７１１の中央から右に向かって移動する。
【００５４】
動き判断部６０２は、各フレームについて、複数の分割領域にそれぞれ対応する複数の動き判断結果７１２を得る。ここでは、太線で示された分割領域（注目領域）に対する処理例を説明する。例えば、動き判断部６０２は、フレーム７０２とフレーム７０１の間の注目領域の平均輝度差（入力画像７１１の平均輝度の差）に応じて、フレーム７０２の注目領域に対する動き判断結果７１２を得る。他のフレームや他の分割領域に対する動き判断結果７１２も同様に得られる。図６の例では、フレーム７０２の注目領域の平均輝度はフレーム７０１の注目領域の平均輝度と同一である。そのため、フレーム７０２の注目領域に対する動き判断結果７１２として「動き無し（静）」が得られる。同様に、フレーム７０３，７０７のそれぞれについても、注目領域に対する動き判断結果７１２として「動き無し」が得られる。一方で、フレーム７０４の注目領域の平均輝度はフレーム７０３の注目領域の平均輝度と異なり、フレーム７０４とフレーム７０３の間の注目領域の平均輝度差は所定の第２閾値よりも大きい。そのため、フレーム７０４の注目領域に対する動き判断結果７１２として「動きあり（動）」が得られる。同様に、フレーム７０５，７０６のそれぞれについても、注目領域に対する動き判断結果７１２として「動きあり」が得られる。
【００５５】
階調変化判断部６０１は、各フレームについて、複数の分割領域にそれぞれ対応する複数の階調変化判断結果７１３を得る。ここでは、太線で示された注目領域に対する処理例を説明する。例えば、階調変化判断部６０１は、フレーム７０２とフレーム７０１の間の注目領域の平均輝度差（入力画像７１１の平均輝度の差）に応じて、フレーム７０２の注目領域に対する階調変化判断結果７１３を得る。他のフレームや他の分割領域に対する階調変化判断結果７１３も同様に得られる。図６の例では、フレーム７０２の注目領域の平均輝度（入力画像７１１の平均輝度）はフレーム７０１の注目領域の平均輝度と同一である。そのため、フレーム７０２の注目領域に対する階調変化判断結果７１３として「階調変化：小」が得られる。同様に、フレーム７０３，７０７のそれぞれについても、注目領域に対する階調変化判断結果７１３として「階調変化：小」が得られる。一方で、フレーム７０４の注目領域の平均輝度はフレーム７０３の注目領域の平均輝度と異なり、フレーム７０４とフレーム７０３の間の注目領域の平均輝度差は所定の第１閾値よりも大きい。そのため、フレーム７０４の注目領域に対する階調変化判断結果７１３として「階調変化：大」が得られる。同様に、フレーム７０５，７０６のそれぞれについても、注目領域に対する階調変化判断結果７１３として「階調変化：大」が得られる。
【００５６】
フロント画像データ７１５は、１フレーム遅延部２０４からフロントパネル１１２へ出力される画像データである。各フレームのフロント画像データ７１５は、１つ前のフレームの入力画像７１１に対応する。図６の例では、各フレームのフロント画像データ７１５は、１つ前のフレームの入力画像７１１を表す。そのため、フレーム７０２のフロント画像データ７１５はフレーム７０１の入力画像７１１を表し、フレーム７０３のフロント画
像データ７１５はフレーム７０２の入力画像７１１を表す。他のフレームのフロント画像データ７１５も、同様に、１つ前のフレームの入力画像７１１を表す。
【００５７】
バック画像データ７１７は、画像処理部６０３からバックパネル１１１へ出力される処理画像データである。画像処理部６０３は、１フレーム遅延部２０４から出力された画像データの空間的な高周波成分の強度を低減することにより、バック画像データ７１７を生成する。そのため、各フレームのバック画像データ７１７は、１つ前のフレームの入力画像７１１に対応する。そして、バック画像データ７１７によって表された画像における矩形の幅は、入力画像７１１における矩形の幅よりも広い。
【００５８】
ここでは、入力される階調値の時間変化が大きい場合に、フロントパネル１１２とバックパネル１１１の応答速度が高く、フロントパネル１１２とバックパネル１１１の応答時間が無視できる程度に短いとする。図６の例では、入力画像７１１の階調値の時間変化として、白色と黒色の間の時間変化である大きな変化のみが生じる。そのため、フロント画像７１６は、フロント画像データ７１５によって表された画像と同等となり、バック画像７１８は、バック画像データ７１７によって表された画像と同等となる。
【００５９】
図８は、動き判断結果７１２、階調変化判断結果７１３、及び、高周波成分低減度７１４の対応関係の一例を示す模式図である。図８に示すように、本実施例では、画像処理部６０３は、動き判断結果７１２が「動き無し」である場合に、動き判断結果７１２が「動きあり」である場合に比べ高い高周波成分低減度７１４を用いる。具体的には、画像処理部６０３は、動き判断結果７１２が「動き無し」である場合に、階調変化判断結果７１３に依らずに、高周波成分低減度７１４として「高レベル」を用いる。一方で、画像処理部６０３は、動き判断結果７１２が「動きあり」であり且つ階調変化判断結果７１３が「階調変化：小」である場合に、「動きあり」且つ「階調変化：大」の場合に比べ低い高周波成分低減度７１４を用いる。具体的には、画像処理部６０３は、「動きあり」且つ「階調変化：小」の場合に高周波成分低減度７１４として「低レベル」を用い、「動きあり」且つ「階調変化：大」の場合に高周波成分低減度７１４として「中レベル」を用いる。
【００６０】
ここで、太線で示された注目領域に対する処理例を説明する。図６の例では、フレーム７０２，７０３，７０７の期間において、注目領域の動き判断結果７１２が「動き無し」であるため、注目領域の高周波成分低減度７１４として「高レベル」が使用される。そして、フレーム７０４〜７０６の期間において、注目領域の動き判断結果７１２が「動きあり」であり且つ注目領域の階調変化判断結果７１３が「階調変化：大」であるため、注目領域の高周波成分低減度７１４として「中レベル」が使用される。
【００６１】
上述したように、動き判断結果７１２が「動き無し」である分割領域については、高周波成分低減度７１４として「高レベル」が使用される。そのため、動き判断結果７１２が「動き無し」である分割領域で２重像の視認が十分に抑制された合成画像７１９が表示される。そして、動き判断結果７１２が「動きあり」であり且つ階調変化判断結果７１３が「階調変化：大」である分割領域については、高周波成分低減度７１４として「中レベル」が使用される。そのため、動き判断結果７１２が「動きあり」であり且つ階調変化判断結果７１３が「階調変化：大」である分割領域で２重像の視認が抑制され且つ動画ぼけが低減された合成画像７１９が表示される。ここで、階調変化判断結果７１３が「階調変化：大」である場合には、フロントパネル１１２やバックパネル１１１の応答速度に起因した動画ぼけは大きくない。そのため、高周波成分低減度７１４として「中レベル」を用いても、動画ぼけが十分に低減された合成画像７１９が表示される。
【００６２】
＜表示装置の第２の動作＞
図７は、表示装置２００の動作の一例を示す模式図である。図７には、入力画像８１１
、動き判断結果８１２、階調変化判断結果８１３、高周波成分低減度８１４、フロント画像データ８１５、フロント画像８１６、バック画像データ８１７、バック画像８１８、及び、合成画像８１９の時間変化が示されている。ここでは、フロントパネル１１２とバックパネル１１１のそれぞれが、入力される階調値の時間変化に依存して応答速度が変わる、という特性を有するとする。また、ここでは、簡単のために、画質調整部２０２による所定の画質調整処理が省略され、調整画像データとして入力画像データ２１０が使用されるとする。
【００６３】
図７の例では、入力画像８１１は、暗い灰色の背景上に明るい灰色の矩形が配置された画像である。フレーム８０１〜８０３の期間において矩形は入力画像８１１の中央で静止し、フレーム８０４〜８０７の期間において矩形は入力画像８１１の中央から右に向かって移動する。
【００６４】
上述したように、動き判断部６０２は、各フレームについて、複数の分割領域にそれぞれ対応する複数の動き判断結果８１２を得る。ここでは、太線で示された注目領域に対する処理例を説明する。図７の例では、フレーム８０２の注目領域の平均輝度（入力画像８１１の平均輝度）はフレーム８０１の注目領域の平均輝度と同一である。そのため、フレーム８０２の注目領域に対する動き判断結果８１２として「動き無し（静）」が得られる。同様に、フレーム８０３，８０７のそれぞれについても、注目領域に対する動き判断結果８１２として「動き無し」が得られる。一方で、フレーム８０４の注目領域の平均輝度はフレーム８０３の注目領域の平均輝度と異なり、フレーム８０４とフレーム８０３の間の注目領域の平均輝度差（入力画像８１１の平均輝度の差）は所定の第２閾値よりも大きい。そのため、フレーム８０４の注目領域に対する動き判断結果８１２として「動きあり（動）」が得られる。同様に、フレーム８０５，８０６のそれぞれについても、注目領域に対する動き判断結果８１２として「動きあり」が得られる。
【００６５】
上述したように、階調変化判断部６０１は、各フレームについて、複数の分割領域にそれぞれ対応する複数の階調変化判断結果８１３を得る。ここでは、太線で示された注目領域に対する処理例を説明する。図７の例では、フレーム８０２の注目領域の平均輝度（入力画像８１１の平均輝度）はフレーム８０１の注目領域の平均輝度と同一である。そのため、フレーム８０２の注目領域に対する階調変化判断結果８１３として「階調変化：小」が得られる。同様に、フレーム８０３，８０７のそれぞれについても、注目領域に対する階調変化判断結果８１３として「階調変化：小」が得られる。フレーム８０４の注目領域の平均輝度はフレーム８０３の注目領域の平均輝度と異なるが、フレーム８０４とフレーム８０３の間の注目領域の平均輝度差は所定の第１閾値以下である。そのため、フレーム８０４の注目領域に対する階調変化判断結果８１３としても「階調変化：小」が得られる。同様に、フレーム８０５，８０６のそれぞれについても、注目領域に対する階調変化判断結果８１３として「階調変化：小」が得られる。
【００６６】
図７の例では、各フレームのフロント画像データ８１５は、１つ前のフレームの入力画像８１１を表す。各フレームのバック画像データ８１７は、１つ前のフレームの入力画像８１１に対応する。そして、バック画像データ８１７によって表された画像における矩形の幅は、入力画像８１１における矩形の幅よりも広い。
【００６７】
ここでは、入力される階調値の時間変化が小さい場合に、フロントパネル１１２とバックパネル１１１の応答速度が低く、フロントパネル１１２とバックパネル１１１の応答時間が無視できない程度に長いとする。図７の例では、入力画像８１１の階調値の時間変化として、暗い灰色と明るい灰色の間の時間変化である小さな変化のみが生じる。そのため、フロント画像８１６は、フロント画像データ８１５に対して時間遅れを伴った画像となり、バック画像８１８は、バック画像データ８１７に対して時間遅れを伴った画像となる
。換言すれば、フロント画像８１６とバック画像８１８には、フロントパネル１１２やバックパネル１１１の応答速度に起因した動画ぼけが生じる。具体的には、フロント画像８１６における矩形の幅は、フロント画像データ８１５よって表された画像における矩形の幅よりも広く、バック画像８１８における矩形の幅は、バック画像データ８１７によって表された画像における矩形の幅よりも広い。
【００６８】
画像処理部６０３は、図８の対応関係に従って、各フレームについて、複数の分割領域にそれぞれ対応する複数の高周波成分低減度８１４を得る。ここで、太線で示された注目領域に対する処理例を説明する。図７の例では、フレーム８０２，８０３，８０７の期間において、注目領域の動き判断結果８１２が「動き無し」であるため、注目領域の高周波成分低減度８１４として「高レベル」が使用される。そして、フレーム８０４〜８０６の期間において、注目領域の動き判断結果８１２が「動きあり」であり且つ注目領域の階調変化判断結果８１３が「階調変化：小」であるため、注目領域の高周波成分低減度８１４として「低レベル」が使用される。
【００６９】
上述したように、動き判断結果８１２が「動き無し」である分割領域については、高周波成分低減度８１４として「高レベル」が使用される。そのため、動き判断結果８１２が「動き無し」である分割領域で２重像の視認が十分に抑制された合成画像８１９が表示される。そして、動き判断結果８１２が「動きあり」であり且つ階調変化判断結果８１３が「階調変化：小」である分割領域については、高周波成分低減度８１４として「低レベル」が使用される。そのため、動き判断結果８１２が「動きあり」であり且つ階調変化判断結果８１３が「階調変化：小」である分割領域で２重像の視認が抑制され且つ動画ぼけが低減された合成画像８１９が表示される。ここで、階調変化判断結果８１３が「階調変化：小」である場合には、フロントパネル１１２やバックパネル１１１の応答速度に起因した動画ぼけは小さくない。そのため、高周波成分低減度８１４として「中レベル」を用いると、動画ぼけが十分に低減されないことがある。高周波成分低減度８１４として「低レベル」を用いることで、動画ぼけが十分に低減される。
【００７０】
以上述べたように、本実施例によれば、動きがあると判断され且つ判断された応答速度が低い場合に、動きがあると判断され且つ判断された応答速度が高い場合に比べ低い低減度合いが、空間的な高周波成分の強度の低減度合いとして用いられる。それにより、２重像の視認を抑制しつつ動画ぼけをより低減できる。
【００７１】
実施例１，２の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００７２】
実施例１，２はあくまで一例であり、本発明の要旨の範囲内で実施例１，２の構成を適宜変形したり変更したりすることにより得られる構成も、本発明に含まれる。実施例１，２の構成を適宜組み合わせて得られる構成も、本発明に含まれる。
【００７３】
例えば、バックパネル１１１として、有機ＥＬ（Ｅｌｅｃｔｒｏ−Ｌｕｍｉｎｅｓｃｅｎｃｅ）パネルのような自発光型の表示パネルが使用されてもよい。その場合には、バックライトユニット１０１は不要となる。
【００７４】
水平方向４個×垂直方向３個の計１２個の処理領域（分割領域）が使用される例を説明したが、処理領域の数、サイズ、配置、形状、等は特に限定されない。例えば、複数の処理領域は千鳥格子状に配置されてもよい。水平方向１６個×垂直方向９個の計１４４個の処理領域が使用されてもよい。１画素の領域が１つの処理領域として使用されてもよい。入力画像データ２１０の全体の画像領域（１つの領域）に対して動きの有無が判断され、各処理領域に対して応答速度が個別に判断されてもよい。各処理領域に対して動きの有無が個別に判断され、入力画像データ２１０の全体の画像領域（１つの領域）に対して応答速度が判断されてもよい。
【００７５】
２段階の応答速度（「階調変化：大」と「階調変化：小」）を使用する例を説明したが、応答速度の段階数は３段階以上であってもよい。そして、動きがあると判断された場合における低減度合い（空間的な高周波成分の強度の低減度合い）として、３段階以上の低減度合いが使用されてもよい。例えば、応答速度が高い「階調変化：大」、応答速度が中程度の「階調変化：中」、及び、応答速度が低い「階調変化：小」が使用されてもよい。そして、「動きあり」且つ「階調変化：小」の場合に「動きあり」且つ「階調変化：中」の場合に比べ低い低減度合いが使用され、「動きあり」且つ「階調変化：中」の場合に「動きあり」且つ「階調変化：大」の場合に比べ低い低減度合いが使用されてもよい。
【００７６】
水平方向における高周波成分の強度のみを低減する例を説明したが、これに限られない。例えば、垂直方向における高周波成分の強度のみが低減されてもよいし、水平方向における高周波成分の強度と垂直方向における高周波成分の強度の両方が低減されてもよい。但し、ユーザの視線方向の変化として水平方向の変化が生じやすいため、水平方向における高周波成分の強度の低減度合いとして、垂直方向における高周波成分の強度の低減度合いよりも低い低減度合いが使用されることが好ましい。
【００７７】
連続する２フレームの輝度データから当該２フレーム間における動きの有無を判断する例を説明したが、これに限られない。例えば、動きベクトル検出によって動きの有無が判断されてもよい。入力画像データ２１０に動き識別情報（動きがあるか無いかを識別する情報；動画か静止画かを識別する情報）がメタデータとして付加されている場合には、動き識別情報を用いて動きの有無が判断されてもよい。ここで、動画と静止画を撮影できる撮影装置が撮影画像データを表示装置へ出力する場合を考える。撮影装置が動画を撮影している場合には、撮影装置は、当該撮影によって得られた画像データを、動画を示す識別情報を付加して表示装置へ出力する。そして、表示装置は、撮影装置から出力された画像データの識別情報を用いて、当該画像データが動画であると判断し、「動きあり」と判断する。同様に、撮影装置が静止画を撮影している場合には、撮影装置は、当該撮影によって得られた画像データを、静止画を示す識別情報を付加して表示装置へ出力する。そして、表示装置は、撮影装置から出力された画像データの識別情報を用いて、当該画像データが静止画であると判断し、「動き無し」と判断する。
【００７８】
入力される階調値の時間変化が小さい場合に、当該時間変化が大きい場合に比べ、応答速度が低い、という特性を表示パネルが有する例を説明したが、これに限られない。例えば、入力される階調値の時間変化が大きい場合に、当該時間変化が小さい場合に比べ、応答速度が低い、という特性を表示パネルが有していてもよい。低階調値から他の低階調値への時間変化の大きさと、高階調値から他の高階調値への時間変化の大きさとが同じであっても、それら時間変化にそれぞれ対応する応答速度が互いに異なってもよい。
【００７９】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、
１以上の機能を実現する回路（例えば、ＡＳＩＣ）によっても実現可能である。
【符号の説明】
【００８０】
１００，２００：表示装置  １１１：バックパネル  １１２：フロントパネル
２０５，６０２：動き判断部  ２０６，６０３：画像処理部
【図１】
2019124798.tif 000003
【図２】
2019124798.tif 000004
【図３】
2019124798.tif 000005
【図４】
2019124798.tif 000006
【図５】
2019124798.tif 000007
【図６】
2019124798.tif 000008
【図７】
2019124798.tif 000009
【図８】
2019124798.tif 000010